(57)【要約】  【課題】  生体のうち貼付可能な部位を従来より増加させることができる機能付与用シートを提供する。  【解決手段】  機能付与用シート１０は、生体９０に貼付されるための粘着面２０ａが形成されたシート２０と、生体９０に所定の機能を付与するための機能付与物質を生体９０内に導入するための穴９１ａを生体９０の皮膚９１に開けるためにシート２０に対して粘着面２０ａ側に固定されたマイクロパイル３１とを備え、マイクロパイル３１は、生体９０内で溶解する性質を有する。【選択図】  図２
2006345984.tif 000002
【特許請求の範囲】
【請求項１】
生体に貼付されるための粘着性の面が形成されたシートと、前記生体に所定の機能を付与するための物質を前記生体内に導入するための穴を前記生体の皮膚に開けるために前記シートに対して前記面側に固定された皮膚用針とを備え、
前記皮膚用針は、前記生体内で溶解する性質を有したことを特徴とする機能付与用シート。
【請求項２】
前記物質を通過させる通過穴が形成され、
前記皮膚用針は、前記通過穴を覆って前記シートに対して固定されたことを特徴とする請求項１に記載の機能付与用シート。
【請求項３】
生体に貼付されるための粘着性の面が形成されたシートと、前記生体に所定の機能を付与するための物質を前記生体内に導入するための穴を前記生体の皮膚に開けるために前記シートに対して前記面側に固定された複数本の皮膚用針とを備え、
前記複数本の皮膚用針は、複数の塊に分割されて前記シートに対して固定されたことを特徴とする機能付与用シート。
【請求項４】
前記シートは、伸縮性を有したことを特徴とする請求項１から請求項３までの何れかに記載の機能付与用シート。
【発明の詳細な説明】
【技術分野】
【０００１】
本発明は、生体に所定の機能を付与するための機能付与用シートに関するものである。
【背景技術】
【０００２】
従来、機能付与用シートとして、生体の皮膚に穴を開けるための皮膚用針を備え、生体に所定の機能を付与するための物質（以下「機能付与物質」という。）を皮膚用針によって皮膚に開けられた穴を介して生体内に導入するものが知られている（例えば、特許文献１参照。）。
【０００３】
【特許文献１】意匠登録第１２２７６３２号公報
【発明の開示】
【発明が解決しようとする課題】
【０００４】
しかしながら、従来の機能付与用シートにおいては、生体のうち曲がっている部位や曲がる部位（例えば肘や膝等）の皮膚に貼付されても、外力によって変形させられない限り皮膚用針の幾つかが皮膚に刺さらないので、十分な量の機能付与物質を生体内に導入することができない可能性があった。また、従来の機能付与用シートにおいては、生体のうち曲がっている部位や曲がる部位の皮膚に貼付され、全ての皮膚用針が皮膚に刺さるように外力によって変形させられた場合、皮膚用針に無理な力が加わって皮膚用針が折れて生体内に残留する可能性があった。したがって、従来の機能付与用シートにおいては、生体のうち曲がっている部位や曲がる部位の皮膚に貼付されることは、好ましくなかった。
【０００５】
本発明は、生体のうち貼付可能な部位を従来より増加させることができる機能付与用シートを提供することを目的とする。
【課題を解決するための手段】
【０００６】
本発明の機能付与用シートは、生体に貼付されるための粘着性の面が形成されたシートと、前記生体に所定の機能を付与するための物質を前記生体内に導入するための穴を前記生体の皮膚に開けるために前記シートに対して前記面側に固定された皮膚用針とを備え、前記皮膚用針は、前記生体内で溶解する性質を有した構成を有している。
【０００７】
この構成により、本発明の機能付与用シートは、皮膚用針が皮膚内で折れても生体内で溶解するので、生体のうち曲がっている部位や曲がる部位の皮膚に貼付されても十分な量の機能付与物質を生体内に導入することができる。したがって、本発明の機能付与用シートは、生体のうち貼付可能な部位を従来より増加させることができる。
【０００８】
本発明の機能付与用シートは、前記物質を通過させる通過穴が形成され、前記皮膚用針は、前記通過穴を覆って前記シートに対して固定された構成を有している。
【０００９】
この構成により、本発明の機能付与用シートは、皮膚用針が溶解して生じた生体の穴を介して機能付与物質を生体内に導入することができる。
【００１０】
本発明の機能付与用シートは、生体に貼付されるための粘着性の面が形成されたシートと、前記生体に所定の機能を付与するための物質を前記生体内に導入するための穴を前記生体の皮膚に開けるために前記シートに対して前記面側に固定された複数本の皮膚用針とを備え、前記複数本の皮膚用針は、複数の塊に分割されて前記シートに対して固定された構成を有している。
【００１１】
この構成により、本発明の機能付与用シートは、皮膚用針が塊毎に別々に変位することができるので、生体のうち曲がっている部位や曲がる部位の皮膚に貼付されても、十分な量の機能付与物質を生体内に導入することができるだけの十分な本数の皮膚用針を皮膚に刺すことができる。したがって、本発明の機能付与用シートは、生体のうち貼付可能な部位を従来より増加させることができる。
【００１２】
本発明の機能付与用シートの前記シートは、伸縮性を有した構成を有している。
【００１３】
この構成により、本発明の機能付与用シートは、シート自体が伸縮することができるので、生体のうち曲がっている部位や曲がる部位の皮膚に貼付されても皮膚から剥がれることを抑制することができる。
【発明の効果】
【００１４】
本発明は、生体のうち貼付可能な部位を従来より増加させることができる機能付与用シートを提供することができるものである。
【発明を実施するための最良の形態】
【００１５】
以下、本発明の実施の形態について、図面を用いて説明する。
【００１６】
（第１の実施の形態）
まず、第１の実施の形態に係る機能付与用シートの構成について説明する。
【００１７】
図１及び図２に示すように、本実施の形態に係る機能付与用シート１０は、生体９０に貼付されるための粘着性の面（以下「粘着面」という。）２０ａが形成された伸縮性を有するシート２０と、機能付与物質を生体９０内に導入するための穴９１ａを生体９０の皮膚９１に開けるための皮膚用針としての複数のマイクロパイル３１と、それぞれ１本のマイクロパイル３１を支持しシート２０の粘着面２０ａに貼付されて固定された複数の基台３２とを備えている。即ち、マイクロパイル３１は、それぞれ１本づつからなる複数の塊３０に分割されてシート２０に固定されている。
【００１８】
マイクロパイル３１及び基台３２は、生体９０内で溶解する材料（例えばマルトースや蛋白質等）が主成分であり、機能付与物質が混入されている。また、マイクロパイル３１は、長さが数百μｍ以下の針である。
【００１９】
なお、マイクロパイル３１及び基台３２は、図３（ａ）に示すように材料４０がヒーター８１によって加熱された後、図３（ｂ）に示すように矢印８２ａで示す方向に移動させられたピン８２が材料４０に付着され、更に、図３（ｃ）に示すようにピン８２が矢印８２ｂで示す方向に移動されて材料４０の一部がピン８２に付着して引き伸ばされることによって製造される。以下、図３に示すように材料の張力を利用したマイクロパイルの製造方法を張力製法という。
【００２０】
次に、機能付与用シート１０の使用方法について説明する。
【００２１】
機能付与用シート１０の利用者は、シート２０を持ってマイクロパイル３１を自己又は他人の皮膚９１に押し当てながらシート２０の粘着面２０ａの粘着性を利用して図２に示すように機能付与用シート１０を皮膚９１に貼り付けることができる。ここで、マイクロパイル３１が十分に微細に製造されていれば、マイクロパイル３１が皮膚９１に刺された人は、痛みを感じることが無い。
【００２２】
なお、利用者は、マイクロパイル３１を皮膚９１に刺した状態でシート２０を介して基台３２に負荷を加えることによって、マイクロパイル３１を基台３２から切断し、マイクロパイル３１を皮膚９１内に残留させても良い。もちろん、利用者は、マイクロパイル３１を皮膚９１に残留させず、マイクロパイル３１を皮膚９１に刺した状態で一定期間経過した後、シート２０を剥がすことによってマイクロパイル３１を皮膚９１から抜き出しても良い。
【００２３】
マイクロパイル３１は、皮膚９１に刺された状態で一定期間保持されると、皮膚９１に含まれる水分等で溶解される。
【００２４】
したがって、マイクロパイル３１が皮膚９１内で溶解された人は、マイクロパイル３１内の機能付与物質によって種々の効果を得ることができる。例えば、マイクロパイル３１内の機能付与物質が食紅等の着色剤であるとき、マイクロパイル３１が皮膚９１内で溶解されて機能付与用シート１０が皮膚９１から剥がされた人は、皮膚９１に化粧等の装飾効果を得ることができる。また、マイクロパイル３１内の機能付与物質が紫外線吸収剤であるとき、マイクロパイル３１が皮膚９１内で溶解されて機能付与用シート１０が皮膚９１から剥がされた人は、皮膚９１に日焼け止め効果を得ることができる。また、マイクロパイル３１内の機能付与物質がインシュリン等の薬剤であるとき、マイクロパイル３１が皮膚９１内で溶解された人は、病気の治療や予防が行われることになる。
【００２５】
なお、機能付与用シート１０は、図１に示す構成でなくても良い。例えば、機能付与用シート１０は、図４に示すように、基台３２を設けずにマイクロパイル３１がシート２０の粘着面２０ａに直接固定されていても良いし、図５に示すように、張力製法ではなく、鋳型によって製造されたマイクロパイル３１がシート２０の粘着面２０ａに固定されていても良い。また、機能付与用シート１０は、図６に示すように、シート２０が円形であっても良いし、図７に示すように、シート２０が長方形であっても良い。また、機能付与用シート１０は、図８に示すように、それぞれ複数本のマイクロパイル３１を有した２つの塊３０に分割されてマイクロパイル３１がシート２０に対して固定されていても良い。
【００２６】
以上に説明したように、機能付与用シート１０は、マイクロパイル３１が皮膚９１内で折れても生体９０内で溶解し消失するので、生体９０のうち曲がっている部位や曲がる部位の皮膚９１に貼付されても十分な量の機能付与物質を生体９０内に導入することができる。したがって、機能付与用シート１０は、生体９０のうち貼付可能な部位を従来より増加させることができる。なお、図１、図４、図５、図６、図７及び図８に示す機能付与用シート１０は、それぞれ１本以上のマイクロパイル３１を有した複数の塊３０に分割されてマイクロパイル３１がシート２０に固定されているが、マイクロパイル３１が生体９０内で溶解する性質を有している場合には、図９に示すように全てのマイクロパイル３１を有した１つの塊３０だけがシート２０に固定されていても良い。
【００２７】
また、図１、図４、図５、図６、図７及び図８に示す機能付与用シート１０は、それぞれ１本以上のマイクロパイル３１を有した複数の塊３０に分割されてマイクロパイル３１がシート２０に固定されており、マイクロパイル３１が塊３０毎に別々に変位することができるので、生体９０のうち曲がっている部位や曲がる部位の皮膚９１に貼付されても、十分な量の機能付与物質を生体９０内に導入することができるだけの十分な本数のマイクロパイル３１を皮膚９１に刺すことができる。したがって、図１、図４、図５、図６、図７及び図８に示す機能付与用シート１０は、生体９０のうち貼付可能な部位を従来より増加させることができる。なお、機能付与用シート１０は、それぞれ１本以上のマイクロパイル３１を有した複数の塊３０に分割されてマイクロパイル３１がシート２０に対して固定されている場合には、マイクロパイル３１が生体９０内で溶解する性質を有していなくても良い。
【００２８】
また、機能付与用シート１０は、シート２０が伸縮性を有しており、シート２０自体が伸縮することができるので、生体９０のうち曲がっている部位や曲がる部位の皮膚９１に貼付されても皮膚９１から剥がれることを抑制することができる。もちろん、シート２０は、伸縮性を有していなくても良い。
【００２９】
（第２の実施の形態）
まず、第２の実施の形態に係る機能付与用シートの構成について説明する。
【００３０】
図１０に示すように、本実施の形態に係る機能付与用シート１１０は、生体９０（図２参照。）に貼付されるための粘着面１２０ａが形成された伸縮性を有するシート１２０と、シート１２０内に収納された機能付与物質１２５と、機能付与物質１２５を生体９０内に導入するための穴９１ａ（図２参照。）を生体９０の皮膚９１（図２参照。）に開けるための皮膚用針としての複数のマイクロパイル１３１とを備えている。即ち、マイクロパイル１３１は、それぞれ１本づつからなる複数の塊１３０に分割されてシート１２０に固定されている。
【００３１】
シート１２０は、粘着面１２０ａが形成された生体貼付部１２１と、粘着面１２０ａ側とは反対側から生体貼付部１２１に接着されて生体貼付部１２１とともに機能付与物質１２５の収納空間１２０ｂを形成したカバー部１２２とを備えている。生体貼付部１２１は、収納空間１２０ｂに収納された機能付与物質１２５を通過させる複数の通過穴１２０ｃが粘着面１２０ａ側に形成されている。
【００３２】
マイクロパイル１３１は、生体９０内で溶解する材料（例えばマルトースや蛋白質等）が主成分であり、シート１２０の通過穴１２０ｃを覆ってシート１２０の粘着面１２０ａに固定されている。また、マイクロパイル１３１は、長さが数百μｍ以下の針である。
【００３３】
次に、機能付与用シート１１０の使用方法について説明する。
【００３４】
機能付与用シート１１０の利用者は、シート１２０を持ってマイクロパイル１３１を自己又は他人の皮膚９１に押し当てながらシート１２０の粘着面１２０ａの粘着性を利用して機能付与用シート１１０を皮膚９１に貼り付けることができる。ここで、マイクロパイル１３１が十分に微細に製造されていれば、マイクロパイル１３１が皮膚９１に刺された人は、痛みを感じることが無い。
【００３５】
マイクロパイル１３１は、皮膚９１に刺された状態で一定期間保持されると、皮膚９１に含まれる水分等で溶解される。
【００３６】
したがって、機能付与物質１２５は、マイクロパイル１３１の溶解によって通過穴１２０ｃを介してシート１２０外に出て、マイクロパイル１３１が溶解して生じた生体９０の穴９１ａを介して生体９０内に導入される。
【００３７】
なお、機能付与用シート１１０は、マイクロパイル１３１に機能付与物質１２５を混入せずに、マイクロパイル１３１とは別に機能付与物質１２５を備えているので、マイクロパイル１３１が張力製法等によって高温に加熱されて製造される場合であっても、高温に弱い物質を機能付与物質１２５として備えることができる。
【産業上の利用可能性】
【００３８】
以上のように、本発明に係る機能付与用シートは、生体のうち貼付可能な部位を従来より増加させることができるので、生体のうち曲がっている部位や曲がる部位の皮膚に貼付される機能付与用シート等として有用である。
【図面の簡単な説明】
【００３９】
【図１】本発明の第１の実施の形態に係る機能付与用シートの外観斜視図
【図２】図１に示す機能付与用シートの使用状態での側面断面図
【図３】（ａ）図１に示す機能付与用シートのマイクロパイル及び基台の材料の加熱状態での側面図  （ｂ）ピンが付着された状態での図３（ａ）に示す材料の側面図  （ｃ）図３（ｂ）に示す材料からピンが離隔されて製造されたマイクロパイル及び基台の側面図
【図４】図１に示す構成とは異なる構成での本発明の第１の実施の形態に係る機能付与用シートの外観斜視図
【図５】図１及び図４に示す構成とは異なる構成での本発明の第１の実施の形態に係る機能付与用シートの外観斜視図
【図６】（ａ）図１、図４及び図５に示す構成とは異なる構成での本発明の第１の実施の形態に係る機能付与用シートの上面図  （ｂ）図６（ａ）に示す機能付与用シートの側面図
【図７】（ａ）図１、図４、図５及び図６に示す構成とは異なる構成での本発明の第１の実施の形態に係る機能付与用シートの上面図  （ｂ）図７（ａ）に示す機能付与用シートの側面図
【図８】図１、図４、図５、図６及び図７に示す構成とは異なる構成での本発明の第１の実施の形態に係る機能付与用シートの外観斜視図
【図９】図１、図４、図５、図６、図７及び図８に示す構成とは異なる構成での本発明の第１の実施の形態に係る機能付与用シートの外観斜視図
【図１０】（ａ）本発明の第２の実施の形態に係る機能付与用シートの上面図  （ｂ）図１０（ａ）に示す機能付与用シートの側面断面図
【符号の説明】
【００４０】
１０  機能付与用シート
２０  シート
２０ａ  粘着面（粘着性の面）
３０  塊
３１  マイクロパイル（皮膚用針）
９０  生体
９１  皮膚
９１ａ  穴
１１０  機能付与用シート
１２０  シート
１２０ａ  粘着面（粘着性の面）
１２０ｃ  通過穴
１３０  塊
１３１  マイクロパイル（皮膚用針）
１２５  機能付与物質（生体に所定の機能を付与するための物質）
【図１】
2006345984.tif 000003
【図２】
2006345984.tif 000004
【図３】
2006345984.tif 000005
【図４】
2006345984.tif 000006
【図５】
2006345984.tif 000007
【図６】
2006345984.tif 000008
【図７】
2006345984.tif 000009
【図８】
2006345984.tif 000010
【図９】
2006345984.tif 000011
【図１０】
2006345984.tif 000012